【手続補正書】
【提出日】平成25年6月21日(2013.6.21)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、画像処理装置および画像処理方法に関し、詳しくは、インクを吐出する複数のノズル間の吐出量のばらつきに起因した濃度むらを低減するための画像処理に関するものである。
【手続補正３】
【補正対象書類名】明細書
【補正対象項目名】０００７
【補正方法】変更
【補正の内容】
【０００７】
上記課題を解決するため、本発明は以下の構成を有する。
すなわち、本発明の第１の形態は、第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理装置であって、入力された複数の色信号を前記第１のインク及び前記第２のインクに対応した複数の色信号に変換する変換テーブルであって、前記第１のノズル群及び前記第２ノズル群に対応する第１の変換テーブルと、前記第３ノズル群及び前記第４ノズル群に対応する第２の変換テーブルを記憶する記憶手段と、前記第１の領域に記録すべき画像データにおける複数の色信号を前記第１の変換テーブルに基づいて前記第１のインク及び前記第２のインクに対応した複数の色信号に変換し、前記第２の領域に記録すべき画像データにおける複数の色信号を前記第２の変換テーブルに基づいて前記第１のインク及び前記第２のインクに対応した複数の色信号に変換する変換手段とを備えることを特徴とする。
【手続補正４】
【補正対象書類名】明細書
【補正対象項目名】０００８
【補正方法】変更
【補正の内容】
【０００８】
本発明の第２の形態は、第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理方法であって、前記第１のノズル群及び前記第２ノズル群に対応する第１の変換テーブルに基づいて、前記第１の領域に記録すべき画像データにおける複数の色信号を前記第１のインク及び前記第２のインクに対応した複数の色信号に変換し、前記第３ノズル群及び前記第４ノズル群に対応する第２の変換テーブルに基づいて、前記第２の領域に記録すべき画像データにおける複数の色信号を前記第１のインク及び前記第２のインクに対応した複数の色信号に変換することを特徴とする。
【手続補正５】
【補正対象書類名】明細書
【補正対象項目名】０００９
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理装置であって、
入力された複数の色信号を前記第１のインク及び前記第２のインクに対応した複数の色信号に変換する変換テーブルであって、前記第１のノズル群及び前記第２ノズル群に対応する第１の変換テーブルと、前記第３ノズル群及び前記第４ノズル群に対応する第２の変換テーブルを記憶する記憶手段と、
前記第１の領域に記録すべき画像データにおける複数の色信号を前記第１の変換テーブルに基づいて前記第１のインク及び前記第２のインクに対応した複数の色信号に変換し、前記第２の領域に記録すべき画像データにおける複数の色信号を前記第２の変換テーブルに基づいて前記第１のインク及び前記第２のインクに対応した複数の色信号に変換する変換手段と
を備えることを特徴とする画像処理装置。
【請求項２】
前記第１のインク及び前記第２のインクは、それぞれシアン、マゼンタ、イエロー、ブラックのいずれかであることを特徴とする請求項１に記載の画像処理装置。
【請求項３】
前記第１の変換テーブルおよび前記第２の変換テーブルに入力される複数の色信号は、ＲＧＢ成分であることを特徴とする請求項１または２に記載の画像処理装置。
【請求項４】
前記第１の変換テーブルおよび前記第２の変換テーブルを用いて変換された複数の色信号は、ＣＭＹ成分を含むことを特徴とする請求項１から３のいずれか１項に記載の画像処理装置。
【請求項５】
前記第１のノズル群及び第３のノズル群は第１のノズル列の所定の数のノズルに対応し、前記第２のノズル群及び第４のノズル群は第２のノズル列の前記所定の数のノズルに対応することを特徴とする請求項１から４のいずれか１項に記載の画像処理装置。
【請求項６】
前記所定の数のノズルは１ノズルであることを特徴とする請求項５に記載の画像処理装置。
【請求項７】
記録媒体上に前記第１のインク及び第２のインクを用いて記録された測定用画像の測色結果に基づいて、前記第１の変換テーブルおよび前記第２の変換テーブルを生成する生成手段をさらに備えることを特徴とする請求項１から６のいずれか１項に記載の画像処理装置。
【請求項８】
記録された前記測定用画像を測色する測色手段をさらに備えることを特徴とする請求項７に記載の画像処理装置。
【請求項９】
前記第１の変換テーブル及び前記第２の変換テーブルは、入力された複数の色信号が同じ値である場合に、前記第１の領域に記録される画像と前記第２の領域に記録される画像との色差を低減するための変換テーブルであることを特徴とする請求項１から８のいずれか１項に記載の画像処理装置。
【請求項１０】
前記色差は、前記第１のノズル列と前記第２のノズル列の少なくとも一方におけるノズルの配列方向の吐出特性のばらつきに起因することを特徴とする請求項１０に記載の画像処理装置。
【請求項１１】
第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理方法であって、
前記第１のノズル群及び前記第２ノズル群に対応する第１の変換テーブルに基づいて、前記第１の領域に記録すべき画像データにおける複数の色信号を前記第１のインク及び前記第２のインクに対応した複数の色信号に変換し、前記第３ノズル群及び前記第４ノズル群に対応する第２の変換テーブルに基づいて、前記第２の領域に記録すべき画像データにおける複数の色信号を前記第１のインク及び前記第２のインクに対応した複数の色信号に変換することを特徴とする画像処理方法。